(57)【要約】【課題】燃料ガスをゲストガスとするガスハイドレートから分離生成されるガスと水とをガス複合発電に利用することで、高効率の発電システム及び方法を提供する。【解決手段】ガスハイドレートを利用するガス複合発電システム１であって、ガスハイドレートを貯蔵するタンク１０と、ガスハイドレートを分離して生成されるガスを燃料として燃焼させて発電するガスタービン発電機２０と、ガスハイドレートを分離して生成される水と、前記ガスタービン発電機で生じる燃焼ガスの熱と、を利用して蒸気を生成する廃熱回収ボイラ３０と、廃熱回収ボイラ３０で生成した蒸気を利用して発電する蒸気タービン発電機４０と、を備える。【選択図】図１
2007321601.tif 000002
【特許請求の範囲】
【請求項１】
ガスハイドレートを利用するガス複合発電システムであって、
前記ガスハイドレートを貯蔵するタンクと、
前記ガスハイドレートを分離して生成されるガスを燃料として燃焼させて発電するガスタービン発電機と、
前記ガスハイドレートを分離して生成される水と、前記ガスタービン発電機で生じる燃焼ガスの熱と、を利用して蒸気を生成するボイラと、
前記ボイラで生成した蒸気を利用して発電する蒸気タービン発電機と、
を備えることを特徴とするガス複合発電システム。
【請求項２】
請求項１に記載のガス複合発電システムであって、
前記ガスタービン発電機の出力量の指令値に基づいて必要な前記タンク内のガス圧を算出するガス圧算出部と、
前記タンクのガス圧を計測する圧力計と、
前記ガス圧算出部で算出されたガス圧と前記圧力計で計測されたガス圧とに基づいて前記タンク内のガス圧を制御するガス圧制御部と、
を備えることを特徴とするガス複合発電システム。
【請求項３】
請求項２に記載のガス複合発電システムであって、
開状態で前記タンク内のガスを排出可能とし、閉状態で前記タンク内のガスの排出を禁止するガス利用弁を備え、
前記ガス圧制御部は、前記圧力計で計測されたガス圧と前記ガス圧算出部で算出されたガス圧とに基づいて前記温排水弁の開度を調節することを特徴とするガス複合発電システム。
【請求項４】
請求項２又は３に記載のガス複合発電システムであって、
前記蒸気タービンから排出される蒸気を冷媒と熱変換させることにより水にする復水器と、
閉状態で前記タンクへ供給される前記冷媒を供給可能とし、開状態で前記タンクへ供給される前記冷媒への供給を禁止する温排水弁と、を備え、
前記タンクは、前記冷媒から前記ガスハイドレートに熱を供給する手段を有し、
前記ガス圧制御部は、前記圧力計で計測されたガス圧と前記ガス圧算出部で算出されたガス圧とに基づいて前記温排水弁の開度を調節することを特徴とするガス複合発電システム。
【請求項５】
請求項１〜３の何れかに記載のガス複合発電システムであって、
前記蒸気タービン発電機の出力量の指令値に基づいて前記ボイラへの水供給量を算出する水量算出部と、
前記蒸気タービンへ供給される水の量を計測する流量計と、
前記水量算出部で算出された水供給量と前記流量計で計測された水量とに基づいて前記タンク内のガス圧を制御する水量制御部と、
を備えることを特徴とするガス複合発電システム。
【請求項６】
請求項５に記載のガス複合発電システムであって、
開状態で前記タンクで生成された水を排出可能とし、閉状態で前記タンクで生成された水の排出を禁止する水利用弁を備え、
前記水量制御部は、前記流量計で計測される水量と前記水量算出部で算出された水量とに基づいて前記水利用弁の開度を調節することを特徴とするガス複合発電システム。
【請求項７】
請求項５又は６に記載のガス複合発電システムであって、
前記蒸気タービンから排出される蒸気を冷媒と熱変換させることにより水にする復水器と、
開状態で前記復水器で生成された水を前記ボイラに供給可能とし、閉状態で前記復水器で生成された水の前記ボイラへの供給を禁止する復水弁と、を備え、
前記水量制御部は、前記流量計で計測される水量と前記水量算出部で算出された水供給量とに基づいて前記復水弁の開度を調節することを特徴とするガス複合発電システム。
【請求項８】
請求項１、２、３、５又は６に記載のガス複合発電システムであって、
開閉することで、前記ガスタービン発電機へ供給されるガスの量に調節可能なガス量弁と、
前記ガスタービン発電機の出力量の指令値に基づいて前記ガスタービン発電機で必要となるガスの量を算出するガス量算出部と、
前記ガス量算出部で算出されたガス量に基づいて、前記ガスの量を前記ガスタービン発電機へ供給するよう前記ガス量弁の開度を制御するガス圧制御部と、
を備えることを特徴とするガス複合発電システム。
【請求項９】
請求項１、２、３、５、６、又は８に記載のガス複合発電システムであって、
前記蒸気タービンから排出される蒸気を冷媒と熱変換させることにより水にする復水器を備えることを特徴とするガス複合発電システム。
【請求項１０】
請求項４、７又は９に記載のガス複合発電システムであって、
前記タンクは、前記冷媒から前記ガスハイドレートに熱を供給する手段を有することを特徴とするガス複合発電システム。
【請求項１１】
請求項４、７、９又は１０に記載のガス複合発電システムであって、
前記復水器で生成された水から、前記タンクでガスハイドレートから分離生成された水に熱を提供する熱交換器を備えることを特徴とするガス複合発電システム。
【請求項１２】
ガスハイドレートを利用するガス複合発電方法であって、
前記ガスハイドレートをタンクで貯蔵するステップと、
前記ガスハイドレートを分離して生成されるガスを燃料として燃焼させてガスタービン発電機で発電するステップと、
前記ガスハイドレートを分離して生成される水と、前記ガスタービン発電機で生じる燃焼ガスの熱と、を利用してボイラにおいて蒸気を生成するステップと、
前記ボイラで生成した蒸気を利用して蒸気タービン発電機で発電するステップと、
を含むことを特徴とするガス複合発電方法。
【発明の詳細な説明】
【技術分野】
【０００１】
ガスハイドレートから分離して得られるガスを燃料として発電するガス複合発電システム及び方法に関する。
【背景技術】
【０００２】
近年、燃料ガスを貯蔵し、輸送する形態として優れているガスハイドレートの利用について様々な技術が開発されている。例えば、特許文献１には、天然ガスハイドレートから分離生成される天然ガスをガスタービン発電の燃料として利用する技術が開示されている。しかし、この技術においては、ガスハイドレートから生成される水は廃熱回収ボイラで水蒸気にされた後、燃料ガスを混合して燃焼機に供給されており、この水蒸気を発電用のエネルギーとして有効利用できていない。
【特許文献１】特開２００２−３７１８６２号公報
【発明の開示】
【発明が解決しようとする課題】
【０００３】
一方、本発明は、燃料ガスをゲストガスとするガスハイドレートから分離生成されるガスと水とをガス複合発電に利用することで、高効率の発電システム及び方法を提供することを目的とする。
【課題を解決するための手段】
【０００４】
第1の発明は、ガスハイドレートを利用するガス複合発電システムであって、
前記ガスハイドレートを貯蔵するタンクと、
前記ガスハイドレートを分離して生成されるガスを燃料として燃焼させて発電するガスタービン発電機と、
前記ガスハイドレートを分離して生成される水と、前記ガスタービン発電機で生じる燃焼ガスの熱と、を利用して蒸気を生成するボイラと、
前記ボイラで生成した蒸気を利用して発電する蒸気タービン発電機と、
を備えることを特徴とするガス複合発電システムである。
【０００５】
第２の発明は、第１の発明に記載のガス複合発電システムであって、
前記ガスタービン発電機の出力量の指令値に基づいて必要な前記タンク内のガス圧を算出するガス圧算出部と、
前記タンクのガス圧を計測する圧力計と、
前記ガス圧算出部で算出されたガス圧と前記圧力計で計測されたガス圧とに基づいて前記タンク内のガス圧を制御するガス圧制御部と、
を備えることを特徴とするガス複合発電システムである。
【０００６】
第３の発明は、第２の発明に記載のガス複合発電システムであって、
開状態で前記タンク内のガスを排出可能とし、閉状態で前記タンク内のガスの排出を禁止するガス利用弁を備え、
前記ガス圧制御部は、前記圧力計で計測されたガス圧と前記ガス圧算出部で算出されたガス圧とに基づいて前記温排水弁の開度を調節することを特徴とするガス複合発電システムである。
【０００７】
第４の発明は、第２又は第３の発明に記載のガス複合発電システムであって、
前記蒸気タービンから排出される蒸気を冷媒と熱変換させることにより水にする復水器と、
閉状態で前記タンクへ供給される前記冷媒を供給可能とし、開状態で前記タンクへ供給される前記冷媒への供給を禁止する温排水弁と、を備え、
前記タンクは、前記冷媒から前記ガスハイドレートに熱を供給する手段を有し、
前記ガス圧制御部は、前記圧力計で計測されたガス圧と前記ガス圧算出部で算出されたガス圧とに基づいて前記温排水弁の開度を調節することを特徴とするガス複合発電システムである。
【０００８】
第５の発明は、第１〜第３の発明の何れかに記載のガス複合発電システムであって、
前記蒸気タービン発電機の出力量の指令値に基づいて前記ボイラへの水供給量を算出する水量算出部と、
前記蒸気タービンへ供給される水の量を計測する流量計と、
前記水量算出部で算出された水供給量と前記流量計で計測された水量とに基づいて前記タンク内のガス圧を制御する水量制御部と、
を備えることを特徴とするガス複合発電システムである。
【０００９】
第６の発明は、第５の発明に記載のガス複合発電システムであって、
開状態で前記タンクで生成された水を排出可能とし、閉状態で前記タンクで生成された水の排出を禁止する水利用弁を備え、
前記水量制御部は、前記流量計で計測される水量と前記水量算出部で算出された水量とに基づいて前記水利用弁の開度を調節することを特徴とするガス複合発電システムである。
【００１０】
第７の発明は、第５又は第６の発明に記載のガス複合発電システムであって、
前記蒸気タービンから排出される蒸気を冷媒と熱変換させることにより水にする復水器と、
開状態で前記復水器で生成された水を前記ボイラに供給可能とし、閉状態で前記復水器で生成された水の前記ボイラへの供給を禁止する復水弁と、を備え、
前記水量制御部は、前記流量計で計測される水量と前記水量算出部で算出された水供給量とに基づいて前記復水弁の開度を調節することを特徴とするガス複合発電システムである。
【００１１】
第８の発明は、第１、第２、第３、第５又は第６の発明に記載のガス複合発電システムであって、
開閉することで、前記ガスタービン発電機へ供給されるガスの量に調節可能なガス量弁と、
前記ガスタービン発電機の出力量の指令値に基づいて前記ガスタービン発電機で必要となるガスの量を算出するガス量算出部と、
前記ガス量算出部で算出されたガス量に基づいて、前記ガスの量を前記ガスタービン発電機へ供給するよう前記ガス量弁の開度を制御するガス圧制御部と、
を備えることを特徴とするガス複合発電システムである。
【００１２】
第９の発明は、第１、第２、第３、第５、第６、又は第８の発明に記載のガス複合発電システムであって、
前記蒸気タービンから排出される蒸気を冷媒と熱変換させることにより水にする復水器を備えることを特徴とするガス複合発電システムである。
【００１３】
第１０の発明は、第４、第７又は第９の発明に記載のガス複合発電システムであって、
前記タンクは、前記冷媒から前記ガスハイドレートに熱を供給する手段を有することを特徴とするガス複合発電システムである。
【００１４】
第１１の発明は、第４、第７、第９又は第１０の発明に記載のガス複合発電システムであって、
前記復水器で生成された水から、前記タンクでガスハイドレートから分離生成された水に熱を提供する熱交換器を備えることを特徴とするガス複合発電システムである。
【００１５】
なお、本発明にて「開度を調整する」とは、弁の開度を連続的に調整する場合のみならず、開閉弁を用いて、その開閉を切り換える場合も含まれるものとする。
【発明の効果】
【００１６】
本発明によれば、ガスハイドレートから分離生成されるガスと水とをガス複合発電に利用することで、高効率の発電システム及び方法を提供することができる。
【発明を実施するための最良の形態】
【００１７】
図１は、本発明の一実施形態であるガス複合発電システム１の全体構成図である。同図に示すように、本実施形態のガス複合発電システム１は、タンク１０、ガスタービン発電機２０、廃熱回収ボイラ３０、蒸気タービン発電機４０、復水器５０、熱交換器６０、ガス利用弁１３１、復水弁１３２、水利用弁１３３、温排水弁１３４、ガス量弁１３５、流量計１４１、ポンプ１４２〜１４３、制御部２００などを備える。また、タンク１０は圧力計１１とレベル計１２などを備え、制御部２００は、ガス圧算出部２１０、水量算出部２２０、ガス量算出部２３０を備えている。
【００１８】
タンク１０は、耐圧性及び断熱性に優れた、ガスハイドレートを貯蔵することのできるタンクである。なお、本発明で用いるガスハイドレートのゲストガスは可燃ガスであればよく、例えば、天然ガス、メタン、エタン、プロパン、ブタン、水素等の可燃ガスを用いることができる。このタンク１０においてガスハイドレートは分離して、ガスと水とを生成する。
【００１９】
タンク１０は、圧力計１１を備えており、タンク内の圧力を測定することができる。圧力計１１による測定結果は、制御部２００に送信される。タンク１０は、レベル計１２も備えており、ガスハイドレートから分離生成された水がタンク内で貯蔵されている量を計測することができる。レベル計１２による測定結果は、制御部２００に送信される。
【００２０】
ガスタービン発電機２０は、タンク１０においてガスハイドレートから分離生成されるガスの供給をガス配管１０１及び１０３を通じて受け、そのガスを燃料として燃焼させて発電する発電機である。一般にガスタービンに燃料ガスを供給する際には、コンプレッサ等で燃料ガスに圧力をかける必要があるが、ガス複合発電システム１においてはタンク１０のガス圧を利用してガスタービン発電機２０に燃料ガスを供給するのでコンプレッサは不要となる。
【００２１】
廃熱回収ボイラ３０は、ガスタービン発電機２０から排出される排気ガスの供給をガス配管１０４を通じて受けて、その排気ガスの廃熱を利用して水を沸騰させて水蒸気を生成する。ここで用いる水は、タンク１０でガスハイドレートから分離生成された水や後述する復水器５０で生成された水である。一般にボイラに水を供給する際には、ポンプ等で水に圧力をかける必要があるが、ガス複合発電システム１においてはタンク１０の圧力を利用して廃熱回収ボイラ３０に水を供給するのでポンプは不要となる。
【００２２】
蒸気タービン発電機４０は、廃熱回収ボイラ３０で生成された水蒸気の供給を配管１１６を通じて受けて、その水蒸気の圧力を用いて発電する発電機である。
【００２３】
復水器５０は、蒸気タービン発電機４０から排出される水蒸気の供給を配管１１７を通じて受け、その水蒸気を冷媒で冷却することにより水を生成する。なお、ここで冷媒には、流体であれば何でもよく、例えば発電所が海の近くに立地する場合であれば、ポンプ１４２により海水をくみ上げて冷媒として利用してもよい。
【００２４】
また、この冷媒は、配管１２１を通じてタンク１０に供給し、冷媒が有する熱をタンク１０に貯蔵されているガスハイドレートに提供することでガスハイドレートのガスと水とへの分離を促進することができる。なお、冷媒は、上記の通り、まず復水器５０で熱を受け取りタンク１０で熱を受け渡すこととしてもよいし、まずタンク１０で冷熱を受け取り復水器５０で冷熱を受け渡すこととしてもよい。
【００２５】
熱交換器６０では、復水器５０で生成された水の供給を配管１１４を通じて受け、またタンク１０でガスハイドレートから分離生成された水の供給を配管１１３を通じてうけて、それらの水の間で熱交換させることにより、ガスハイドレート由来の水を温める。
【００２６】
流量計１４１は、タンク１０から熱交換器６０を経て廃熱回収ボイラ３０に供給される水と復水器５０から復水弁１３２を経て廃熱回収ボイラ３０に供給される水とが合流した配管１１５を流れる水の量を計測する。
【００２７】
制御部２００は、発電機の出力量の指令値と、圧力計１１、レベル計１２、流量計１４１から送られてきた夫々の計測結果に基づいて、ガス圧算出部２１０は、発電機の出力量の指令値に基づいてその発電出力量を得るのに必要なタンク１０内のガス圧を算出し、水量算出部２２０は、発電機の出力量の指令値に基づいて廃熱回収ボイラ３０への水供給量を算出し、またガス量算出部２３０は、発電機の出力量の指令値に応じてガスタービン発電機２０で必要となるガスの量を算出する。これら各算出部２１０〜２３０での算出結果に基づき、制御部２００は、ガスタービン発電機２０、廃熱回収ボイラ３０、蒸気タービン発電機４０、各弁１３１〜１３５、ポンプ１４２〜１４３を制御する。各弁１３１〜１３５は、制御部２００による制御信号を受けて開度を調節されることにより、ガスや水等の流量を調節することができる。以下、制御部２００による制御について説明する。
【００２８】
まず、制御部２００は、圧力計１１で計測されたガス圧とガス圧算出部２１０で算出されたガス圧とに基づいてガス利用弁１３１の開度を調節する。すなわち、タンク１０において、ガスタービン発電機２０で燃料として必要なガスの量を上回る量のガスが分離生成された場合はガス利用弁１３１を開き、ガス配管１０２を通じて排出することで、余分なガスをガスタービン発電機２０での燃焼以外の用途に適宜利用できるようにすることができる。
【００２９】
また、制御部２００は、流量計１４１で計測される水量と水量算出部２２０で算出された水供給量とに基づいて復水弁１３２の開度を調節する。すなわち、タンク１０でガスハイドレートから分離生成される水の量が廃熱回収ボイラ３０で必要となる水の量を下回る場合には、復水弁１３２を開いて復水器５０で生成された水も利用することで、廃熱回収ボイラ３０で必要な水の量を確保する。なお、復水器５０で生成された水の圧力がタンク１０内の圧力を下回る場合は、ポンプ１４３により加圧することで、水を供給することができる。
【００３０】
さらに、制御部２００は、流量計１４１で計測される水量と水量算出部２２０で算出された水量とに基づいて水利用弁１３の開度を調節する。すなわち、タンク１０においてガスハイドレートから分離生成される水の量が、廃熱回収ボイラ３０で必要となる水の量を上回る場合には水利用弁１３３を開き、余分な水を配管１１２を通じて排出することでこの水を廃熱回収ボイラ３０での用途以外に利用することができる。
【００３１】
制御部２００は、タンク１０のガス圧とガス圧算出部２１０で算出されたガス圧とに基づいて温排水弁１３４の開度を調節してタンク１０へ供給される冷媒の量を増減させる。すなわち、タンク１０内においてガスタービン発電機２０等で必要とする量を上回る量のガスがガスハイドレードから分離生成された場合には、タンク１０におけるガスハイドレートの分離を抑制する必要があるので、タンク１０に提供される熱の量を減少させるべく、タンク１０に供給される冷媒の量を温排水弁１３４を開いて減少させる。一方で、タンク１０内においてガスタービン発電機等で必要とする量を下回る量のガスしかガスハイドレードから分離生成されていない場合には、タンク１０におけるガスハイドレートの分離を促進する必要があるので、タンク１０に提供される熱の量を増加させるべく、タンク１０に供給される冷媒の量を温排水弁１３４を開いて増加させる。
【００３２】
制御部２００は、ガスタービン発電機２０が停止している場合にはガス量弁１３５を閉め、ガスタービン発電機２０が発電運転している場合にはガス量算出部２３０で算出されたガスの量に基づいてガス量弁１３５の開度を調節する。すなわち、タンク１０内のガス圧は、ガスハイドレートから分離生成されるガスの量及びガス配管１０２を通じて利用されるガスの量により変動するので、ガス量弁１３５によりガスタービン発電機２０へ供給する燃料ガスの量が適切になるよう調節する。
【００３３】
以上の通り、本実施形態のガス複合発電システム１によれば、燃料ガスをゲストガスとしたガスハイドレートを用いてガスタービン発電機２０と廃熱回収ボイラ３０と蒸気タービン発電機４０とからなるガス複合発電を行うことができる。ガスハイドレートからガスが分離生成されると、ガスハイドレートが密閉したタンク１０に貯蔵されていれば、その貯蔵タンク１０内の圧力が高くなる。ガス複合発電システム１では、この圧力を利用してガスタービン発電機２０への燃料ガスの供給と、廃熱回収ボイラ３０への水の供給と、を行うことができるので、コンプレッサやポンプなどが不要となるとのメリットがある。さらに、コンプレッサやポンプなどが不要となることにより、これらを稼動させるためのエネルギーが不要となることから、システム全体のエネルギー効率を向上させることができる。
【００３４】
また、ガス複合発電システム１によれば、制御部２００によってガス利用弁１３１を制御することにより、タンク１０でガスハイドレートの分離生成された燃料ガスの量がガスタービン発電機２０で必要な量を上回った場合でも、この余分な燃料ガスを別の用途に利用することができる。
【００３５】
さらに、ガス複合発電システム１によれば、制御部２００によって復水弁１３２を制御することにより、タンク１０でガスハイドレートの分離生成された水の量が廃熱回収ボイラ３０で必要となる水の量を下回る場合でも、この水の不足分を復水器５０で生成される水によって補うことができる。
【００３６】
一方で、ガス複合発電システム１によれば、制御部２００によって水利用弁１３３を制御することにより、タンク１０でガスハイドレートの分離生成された水の量が廃熱回収ボイラ３０で必要となる水の量を上回る場合には、この余分な水を別の用途に利用することができる。
【００３７】
なお、上記の説明では、各弁１３１〜１３５の開度を連続的に調整できるものとしたが、これに限らず、各弁１３１〜１３５として開閉弁を用いてその開閉を制御することとしてもよい。
【００３８】
ところで、多くの火力発電所では、冷媒に海水を使用しており、通常、海水は復水器５０で熱を受け取ると海に戻される。このとき、冷媒として使用した海水は、取水時よりも温度が高くなっているが、この温排水の温度は、水生生物等環境へ与える悪影響がほとんどない範囲に収める必要がある。これに対して、ガス複合発電システム１によれば、復水器５０で熱を受け取った海水は、タンク１０のガスハイドレートに熱を受け渡すことで冷却されるので、温排水の温度を下げることができ、環境への悪影響をより小さくできる。
【００３９】
さらに、制御部２００によって温排水弁１３４を制御することにより、タンク１０へ供給されるこの冷媒の量を調節することができ、もってタンク１０に貯蔵されたガスハイドレートの分離を促進又は抑制することができる。
【００４０】
また、ガス複合発電システム１によれば、制御部２００によってガス量弁１３５を制御することにより、ガスタービン発電機２０に供給する燃料ガスの量を発電出力に応じて調整することができる。
【００４１】
なお、以上の実施形態の説明は、本発明の理解を容易にするためのものであり、本発明を限定するものではない。本発明はその趣旨を逸脱することなく、変更、改良され得ると共に本発明にはその等価物が含まれることは勿論である。
【図面の簡単な説明】
【００４２】
【図１】本発明の一実施形態であるガス複合発電システム１の全体構成図である。
【符号の説明】
【００４３】
１  ガス複合発電システム
１０  タンク
１１  圧力計
１２  レベル計
２０  ガスタービン発電機
３０  廃熱回収ボイラ
４０  蒸気タービン発電機
５０  復水器
１３１  ガス利用弁
１３２  復水弁
１３３  水利用弁
１３４  温排水弁
１３５  ガス量弁
１４１  流量計
１４２〜１４３  ポンプ
２００  制御部
２１０  ガス圧算出部
２２０  水量算出部
２３０  ガス量算出部
【図１】
2007321601.tif 000003